(57)【特許請求の範囲】
【請求項１】
チャックを前進させることにより芯を繰り出すノック式シャープペンシルであって、
前筒と後筒とを該前筒と該後筒との間に配した透明筒に圧入固着して芯タンクを形成し、前記芯タンクに前記チャックを圧入固着し、前記透明筒の内径を前記前筒及び前記後筒の内径よりも太径に構成し、前記チャックの後端から前記後筒の前端までの距離Ｌ１、及び、前記前筒の後端から前記後筒の後端までの距離Ｌ２を、前記芯タンクに収納される芯の全長より短く構成し、かつ軸筒に透明部を形成して、前記軸筒の透明部及び前記芯タンクの透明部を通して該芯タンク内の芯を目視可能に構成したことを特徴とするノック式シャープペンシル。
【請求項２】
チャックを前進させることにより芯を繰り出すノック式シャープペンシルであって、前記チャックに前筒を圧入固着し、前記前筒の後部に該前筒の後方に配した後筒の固定部を圧入固着して芯タンクを構成するとともに、前記後筒に前部内段を設け、前記後筒の前部内段と前記前筒の後端との間に透明部を形成し、前記透明部の内径を前記前筒の内径及び後筒の中間部内面より太径に形成し、前記後筒に後部内段を設け、前記チャックの後端から前記後筒の前部内段までの距離Ｌ１、及び、前記前筒の後端から前記後筒の後部内段までの距離Ｌ２を、前記芯タンクに収納される芯の全長より短く構成し、かつ軸筒に透明部を形成して、前記軸筒の透明部及び前記芯タンクの透明部を通して該芯タンク内の芯を目視可能に構成したことを特徴とするノック式シャープペンシル。
【請求項３】
チャックを前進させることにより芯を繰り出すノック式シャープペンシルであって、チャックに前筒を圧入固着し、前記前筒の固定部に該前筒の後方に配した後筒の前部を圧入固着して芯タンクを構成するとともに、前記前筒に内段を設け、前記前筒の内段と前記後筒の前端との間に透明部を形成し、前記透明部の内径を前記前筒の前部の内径及び前記後筒の内径より太径に形成し、前記後筒に後部内段を設け、前記チャックの後端から前記後筒の前端までの距離Ｌ１、及び、前記前筒の内段から前記後筒の後部内段までの距離Ｌ２は、前記芯タンクに収納される芯の全長より短く構成し、かつ軸筒に透明部を形成して、前記軸筒の透明部及び前記芯タンクの透明部を通して該芯タンク内の芯を目視可能に構成したことを特徴とするノック式シャープペンシル。
【請求項４】
前記芯タンクの透明部の外側に位置する軸筒の透明部の内形を断面多角形に形成し、かつ、前記軸筒の透明部の外形を断面略円形に形成し、透明樹脂で構成された軸筒の透明部にレンズ効果を持たせたことを特徴とする請求項１ないし３のいずれか１項に記載のシャープペンシル。
【発明の詳細な説明】
【技術分野】
【０００１】
本発明は、芯タンクに形成した透明部より芯タンク内に収納された芯を目視可能なノック式シャープペンシルに関するものである。
【背景技術】
【０００２】
従来、芯収納筒の中間部内面に２条の環状の突隆部を設けたシャープペンシルの芯収納筒が知られている。（特許文献１参照）
【０００３】
しかしながら、上記シャープペンシルの芯収容筒は、芯が芯収容筒の内面に付着しないようにして芯の繰出しを阻害しないようにした利点はあるが、芯が傾いた場合には芯の端が芯収容筒の内面に接触し、芯収容筒の内面に芯粉が付着してしまい、芯収容筒の内面を汚してしまうものであった。
【先行技術文献】
【特許文献】
【０００４】
【特許文献１】実開昭５４−１７９２５２号公報
【発明の概要】
【発明が解決しようとする課題】
【０００５】
解決しようとする問題点は、芯タンクを透明に構成しても、芯タンク内面に芯粉が付着すると芯タンク内の芯が目視しにくくなる点である。
【課題を解決するための手段】
【０００６】
本発明は、
「１．チャックを前進させることにより芯を繰り出すノック式シャープペンシルであって、
前筒と後筒とを該前筒と該後筒との間に配した透明筒に圧入固着して芯タンクを形成し、前記芯タンクに前記チャックを圧入固着し、前記透明筒の内径を前記前筒及び前記後筒の内径よりも太径に構成し、前記チャックの後端から前記後筒の前端までの距離Ｌ１、及び、前記前筒の後端から前記後筒の後端までの距離Ｌ２を、前記芯タンクに収納される芯の全長より短く構成し、かつ軸筒に透明部を形成して、前記軸筒の透明部及び前記芯タンクの透明部を通して該芯タンク内の芯を目視可能に構成したことを特徴とするノック式シャープペンシル。
２．チャックを前進させることにより芯を繰り出すノック式シャープペンシルであって、前記チャックに前筒を圧入固着し、前記前筒の後部に該前筒の後方に配した後筒の固定部を圧入固着して芯タンクを構成するとともに、前記後筒に前部内段を設け、前記後筒の前部内段と前記前筒の後端との間に透明部を形成し、前記透明部の内径を前記前筒の内径及び後筒の中間部内面より太径に形成し、前記後筒に後部内段を設け、前記チャックの後端から前記後筒の前部内段までの距離Ｌ１、及び、前記前筒の後端から前記後筒の後部内段までの距離Ｌ２を、前記芯タンクに収納される芯の全長より短く構成し、かつ軸筒に透明部を形成して、前記軸筒の透明部及び前記芯タンクの透明部を通して該芯タンク内の芯を目視可能に構成したことを特徴とするノック式シャープペンシル。
３．チャックを前進させることにより芯を繰り出すノック式シャープペンシルであって、チャックに前筒を圧入固着し、前記前筒の固定部に該前筒の後方に配した後筒の前部を圧入固着して芯タンクを構成するとともに、前記前筒に内段を設け、前記前筒の内段と前記後筒の前端との間に透明部を形成し、前記透明部の内径を前記前筒の前部の内径及び前記後筒の内径より太径に形成し、前記後筒に後部内段を設け、前記チャックの後端から前記後筒の前端までの距離Ｌ１、及び、前記前筒の内段から前記後筒の後部内段までの距離Ｌ２は、前記芯タンクに収納される芯の全長より短く構成し、かつ軸筒に透明部を形成して、前記軸筒の透明部及び前記芯タンクの透明部を通して該芯タンク内の芯を目視可能に構成したことを特徴とするノック式シャープペンシル。
４．前記芯タンクの透明部の外側に位置する軸筒の透明部の内形を断面多角形に形成し、かつ、前記軸筒の透明部の外形を断面略円形に形成し、透明樹脂で構成された軸筒の透明部にレンズ効果を持たせたことを特徴とする１項ないし３項のいずれか１項に記載のシャープペンシル。」である。
【発明の効果】
【０００７】
本発明は、軸筒の透明部から芯タンクの透明部を目視した時、芯タンク内の芯が容易に確認できる利点が得られるものである。
【図面の簡単な説明】
【０００８】
【図１】図１は、本発明の実施例１のノック式シャープペンシルを示す断面図である。（実施例１）
【図２】図２は、本発明の実施例２のノック式シャープペンシルを示す断面図である。（実施例２）
【図３】図３は、本発明の実施例３のノック式シャープペンシルを示す断面図である。（実施例３）
【図４】図４は、本発明の実施例４のノック式シャープペンシルを示す断面図である。（実施例４）
【図５】図５は、本発明の実施例５のノック式シャープペンシルの軸筒の透明部を示す拡大断面図である。（実施例５）
【図６】図６は、本発明の実施例６のノック式シャープペンシルの軸筒の透明部を示す拡大断面図である。（実施例６）
【発明を実施するための形態】
【０００９】
芯タンクの透明部に芯の粉が付着せず、容易に芯タンク内の芯が確認できるノック式シャープペンシルを実現した。
【実施例１】
【００１０】
以下、図１に基づいて本発明における実施例１のノック式シャープペンシルを説明する。また、図１の左側を前方とし右側を後方とする。先ず、合成樹脂パイプからなる前筒１の後部外側に透明な合成樹脂パイプからなる透明筒２の前部を圧入固着し、この透明筒２の後部内側に合成樹脂パイプからなる後筒３の前部を圧入固着して芯タンクを構成する。尚、前筒１と後筒３は同径のパイプ材を用い、前筒１及び後筒３の外径と透明筒２の内径を略同径とする。また、前筒１と後筒３で芯収納室を構成し、前筒１と後筒３の内径は透明筒２の内径より細径に構成する。
【００１１】
次に、黄銅等の金属製のチャック４の前部を３分割して構成し、この３分割されたチャック４の頭部４Ａに黄銅等の金属製の締具５を外嵌する。更に、締具５を受ける円板状の連結具６をチャック４に被せ、このチャック４の後部を前記前筒１に圧入固着する。また、連結具６と前筒１の前端との間にスプリング７を設け、通常、チャック４の頭部４Ａに押圧された締具５が連結具６に当接され、機構部が構成される。尚、チャック４の後端から後筒３の前端までの距離Ｌ１、及び、前筒１の後端から後筒３の後端までの距離Ｌ２は、芯タンクに収納される芯８の全長より短く構成する。
【００１２】
また、透明な合成樹脂で構成された軸筒９の前部細径部９Ａにゴム製のグリップ１０が設けられ、この軸筒９の後部に、クリップ１１を一体に構成した頭冠１２が取り付けられる。つまり、頭冠１２の突起１２Ａが軸筒９の係止孔９Ｂに係合されるとともに、頭冠１２のキー１２Ｂが軸筒９のキー溝９Ｃに係合されて、頭冠１２が軸筒９の後部に取り付けられる。
【００１３】
この軸筒９の前方から前記機構部が挿入され、芯タンクの後筒３の後部外側に消しゴム支え１３が圧入嵌合されて連結される。この消しゴム支え１３の後部内側に消しゴム１４を取り付け、かつ、消しゴム支え１３の後部外側に消しゴム１４を覆うノブ１５を着脱可能に嵌合する。また、芯タンク内に予備の芯８が複数収納される。
【００１４】
更に、軸筒９の前部に、ゴム製の芯ホルダー１６を内蔵した先部材１７が着脱可能に螺合され、先部材１７の内段１７Ａと軸筒９の前端により連結具６を挾持して、ノック式シャープペンシルを構成する。
【００１５】
このノック式シャープペンシルは、軸筒９が透明に構成されているので、軸筒９の透明部９Ｄ及び芯タンクの透明筒２を通して芯タンク内の芯８が目視できる。しかも、芯タンク内の芯８は前筒１と後筒３によりガイドされ、透明筒２と芯８は接触していないので、芯８の粉が透明筒２に付着する恐れはない。したがって、透明筒２は常に透明性を維持して芯タンク内の芯８を容易に確認できる構成となっている。
【実施例２】
【００１６】
以下、図２に基づいて本発明における実施例２のノック式シャープペンシルを説明する。尚、図１と同一部材は同一の符号を付してその説明を省略する。芯タンクにおける透明筒１０２の前部及び後部に前筒１及び後筒３の外径と略同径の内径を有する固定部１０２Ａ、１０２Ｂを形成し、かつ、中間部１０２Ｃ内径を前筒１及び後筒３の外径より細径で内径より太径に形成する。この透明筒１０２の前部の固定部１０２Ａに前筒１の後部を圧入固着し、透明筒１０２の後部の固定部１０２Ｂに後筒３の前部を圧入固着する。この前筒１と後筒３で芯収納室を構成する。そして、前筒１に圧入固着されたチャック４の後端から後筒３の前端までの距離Ｌ１、及び、前筒１の後端から後筒３の後端までの距離Ｌ２は、芯タンクに収納される芯８の全長より短く構成する。
【実施例３】
【００１７】
以下、図３に基づいて本発明における実施例３のノック式シャープペンシルを説明する。尚、図１と同一部材は同一の符号を付してその説明を省略する。先ず、透明な合成樹脂により透明部１０３Ａを有する後筒１０３を構成し、この後筒１０３の前部に前筒１の外径と略同径の内径を有する固定部１０３Ｂを形成する。この後筒１０３の透明部１０３Ａの内径を前筒１の内径及び後筒１０３の中間部内面１０３Ｃより太径に形成し、前筒１の後部に後筒１０３の固定部１０３Ｂを圧入固着して芯タンクを構成する。また、前筒１と後筒１０３の中間部内面１０３Ｃにより芯収納室を構成する。更に、後筒１０３の後部内側に消しゴム１４を取り付け、かつ、後筒１０３の後部外側に消しゴム１４を覆うノブ１５を着脱可能に嵌合する。また、芯タンク内に予備の芯８が複数収納される。そして、前筒１に圧入固着されたチャック４の後端から後筒１０３の前部内段１０３Ｄまでの距離Ｌ１、及び、前筒１の後端から後筒１０３の後部内段１０３Ｅまでの距離Ｌ２は、芯タンクに収納される芯８の全長より短く構成する。
【実施例４】
【００１８】
以下、図４に基づいて本発明における実施例４のノック式シャープペンシルを説明する。尚、図１と同一部材は同一の符号を付してその説明を省略する。先ず、透明な合成樹脂により透明部１０１Ａを有する前筒１０１を構成し、透明部１０１Ａの内径を前筒１０１の前部１０１Ｂ内径より太径に形成する。後筒２０３の前部２０３Ｆ内径を透明部１０１Ａの内径より細径に形成し、かつ、後筒２０３の固定部２０３Ｂの外径を透明部１０１Ａの内径と略同径に形成する。前記前筒１０１の透明部１０１Ａに後筒２０３の固定部２０３Ｂを圧入固着して芯タンクを構成する。また、前筒１０１の前部２０３Ｆと後筒２０３の前部２０３Ｆにより芯収納室を構成する。更に、芯タンクの後部内側に消しゴム１４を取り付け、かつ、芯タンクの後部外側に消しゴム１４を覆うノブ１５を着脱可能に嵌合する。また、芯タンク内に予備の芯８が複数収納される。そして、前筒１０１に圧入固着されたチャック４の後端から後筒２０３の前端までの距離Ｌ１、及び、前筒１０１の内段１０１Ｃから後筒２０３の後部内段２０３Ｅまでの距離Ｌ２は、芯タンクに収納される芯８の全長より短く構成する。
【実施例５】
【００１９】
以下、図５に基づいて本発明における実施例５のノック式シャープペンシルを説明する。尚、図１と同一部材は同一の符号を付してその説明を省略する。先ず、透明筒２の外側に位置する軸筒１０９の透明部１０９Ｄ内形を断面多角形に形成し、かつ、軸筒１０９の透明部１０９Ｄ外形を断面略円形に形成し、透明樹脂で構成された軸筒１０９の透明部１０９Ｄにレンズ効果を持たせたものである。
【００２０】
したがって、芯タンク内に収納された芯８を拡大して目視できるものである。
【実施例６】
【００２１】
以下、図６に基づいて本発明における実施例６のノック式シャープペンシルを説明する。尚、図１と同一部材は同一の符号を付してその説明を省略する。先ず、透明筒２の外側に位置する軸筒２０９の透明部２０９Ｄ内面に対向して平地部２０９Ｅを形成し、かつ、軸筒２０９の透明部２０９Ｄ外形を断面略円形に形成し、透明樹脂で構成された軸筒２０９の透明部２０９Ｄにレンズ効果を持たせたものである。
【００２２】
したがって、芯タンク内に収納された芯８を拡大して目視できるものである。
【００２３】
尚、本発明は上記実施例に限定されるものではなく、軸筒、チャック、前筒、透明筒、後筒、消しゴム支え、頭冠、ノブといった部材は説明を簡略化するためにそれぞれ１個の部品として図示しているが、それぞれ２個以上の部品を螺合、嵌合して一体化すれば良い。また、芯タンクの透明部を形成する合成樹脂としては、アクリル、ポリカーボネート、ＡＳ樹脂、ＡＢＳ樹脂が考えられ、必要により帯電防止剤を入れたり帯電防止処理を施して構成する。
【産業上の利用可能性】
【００２４】
芯タンク内に収納された芯を芯タンクの透明部及び軸筒の透明部を通して容易に目視できるノック式シャープペンシルに適用できる。
【符号の説明】
【００２５】
４    チャック
８    芯
９    軸筒
９Ｄ    軸筒９の透明部
１０９    軸筒
１０９Ｄ    軸筒１０９の透明部
２０９    軸筒
２０９Ｄ    軸筒２０９の透明部
【図１】
0005570918.tif 000002
【図２】
0005570918.tif 000003
【図３】
0005570918.tif 000004
【図４】
0005570918.tif 000005
【図５】
0005570918.tif 000006
【図６】
0005570918.tif 000007